(57)【特許請求の範囲】
【請求項１】
アナログオーディオ及びビデオ信号である第１の信号を受信するアナログテレビジョンシャシーと、
ベースバンドのディジタルオーディオ及びビデオ信号である第２の信号を受信するディジタルネットワークインターフェースと、
第３の信号と前記第２の信号をディジタル領域で処理し、処理されたオーディオ及びビデオ信号を、ディスプレイのためのオーディオ及びビデオ信号を生成するために前記アナログテレビジョンシャシーに送出するディジタル主基板とを有し、前記第１の信号は前記ディジタル主基板によりディジタル化され、前記第３の信号はディジタル化された第１の信号である、
するテレビジョン受信機。
【請求項２】
前記ディジタルネットワークインターフェースは、ディジタル信号再生装置から、前記第２の信号を受信する入力を有する、
請求項１記載のテレビジョン受信機。
【請求項３】
少なくとも１つのディジタルビデオ信号を前記ディジタル主基板内のディジタルビデオ信号に加算する、前記ディジタル主基板に接続されたグラフィックスオーバーレイ信号発生器を更に有する、
請求項１記載のテレビジョン受信機。
【請求項４】
前記アナログテレビジョンシャシーは、前記第１の信号を受信する入力を有する、
請求項１記載のテレビジョン受信機。
【請求項５】
前記第１の信号は、２ｆＨフォーマットを有する、
請求項４記載のテレビジョン受信機。
【請求項６】
前記ディジタルネットワークインターフェースは、ＩＥＥＥ−１３９４バスを有する、
請求項１記載のテレビジョン受信機。
【請求項７】
前記ディジタルネットワークインターフェースと前記ディジタル主基板に接続されるディジタルビデオデコーダを更に有し、
前記ディジタルビデオデコーダは、前記ディジタルネットワークインターフェースからの前記第２の信号をデコードし、デコードされた第２の信号を前記ディジタル主基板へ送出する、
請求項１記載のテレビジョン受信機。
【請求項８】
前記アナログテレビジョンシャシーは、チューナ、中間周波増幅器、検波器及びビデオ増幅器を含む、
請求項１記載のテレビジョン受信機。
【請求項９】
テレビジョン受信機でビデオ信号を受信する方法であって、
前記テレビジョン受信機のアナログテレビジョンシャシーを介してアナログオーディオ及びビデオ信号である第１の信号を受信するステップと、
前記テレビジョン受信機のディジタルネットワークインターフェースを介してベースバンドのディジタルオーディオ及びビデオ信号である第２の信号を受信するステップと、
前記テレビジョン受信機のディジタル主基板を介して、第３の信号と前記第２の信号をディジタル領域で処理し、処理されたオーディオ及びビデオ信号を、ディスプレイのためのオーディオ及びビデオ信号を生成するために前記アナログテレビジョンシャシーに送出するステップとを含み、
前記第１の信号は前記ディジタル主基板によりディジタル化され、前記第３の信号はディジタル化された第１の信号である、方法。
【請求項１０】
前記第２の信号をディジタル信号再生装置から受信するステップを更に含む、
請求項９記載の方法。
【請求項１１】
前記ディジタル主基板に接続されたグラフィックスオーバーレイ信号発生器を介して少なくとも１つのディジタルビデオ信号を前記ディジタル主基板内のディジタルビデオ信号に加算するステップを更に含む、
請求項９記載の方法。
【請求項１２】
前記アナログテレビジョンシャシーの入力を介して、前記第１の信号を受信するステップを更に含む、
請求項９記載の方法。
【請求項１３】
前記第１の信号は、２ｆＨフォーマットを有する、
請求項１２記載の方法。
【請求項１４】
前記ディジタルネットワークインターフェースは、ＩＥＥＥ−１３９４バスを有する、
請求項９記載の方法。
【請求項１５】
前記ディジタルネットワークインターフェースと前記ディジタル主基板に接続されるディジタルビデオデコーダを介して、前記ディジタルネットワークインターフェースからの前記第２の信号をデコードし、デコードされた第２の信号を前記ディジタルビデオデコーダから前記ディジタル主基板へ送出するステップを更に含む、
請求項９記載の方法。
【請求項１６】
前記アナログテレビジョンシャシーは、チューナ、中間周波増幅器、検波器及びビデオ増幅器を含む、
請求項９記載の方法。
【発明の詳細な説明】
【０００１】
発明の技術分野
本発明は、一般的には、テレビジョン放送システムに向けられ、特に、ディジタル及びアナログテレビジョン放送を受信するシステム及び方法に関する。
【０００２】
発明の背景
テレビジョンが最初に導入されたときには、無線周波数（ＲＦ）アナログ地上テレビジョン方法が、唯一のテレビジョン放送を送信し且つ受信する方法であった。現在のテレビジョン受信機は、ベースバンド信号処理回路に加えて、アナログ信号を受信するための、ＲＦネットワークインターフェースモジュール（ＮＩＭ）を有する。何年も、この基本的な構造は変更されていない。しかし、ディジタルテレビジョン放送の比較的新たな導入で、種々のテレビジョン放送サービスは、地上、ケーブル及び交換ネットワークチャネルをわたり、さらに効果的になっている。
【０００３】
従来のディジタルテレビジョン（ＤＴＶ）放送受信機は、従来のアナログテレビジョン放送受信のために、一部に、アナログチューナーを使用する。ディジタルテレビジョンでは、放送ディジタル信号を受信し及び復調するために、ディジタルチューナーと残留側波帯（ＶＳＢ）変調器が重要部品である。しかしながら、ＶＳＢは、出現し／開発されている技術であると考えられそして、異なる伝送技術を使用するように、アドバンスドテレビジョンシステムコミッティー（ＡＴＳＣ）規格を変更又は改良する提案がある。現在のテレビジョン放送のほとんど全ては、アナログ放送であるので、ディジタルテレビジョン（ＤＴＶ）は、アナログ受信のための部品を有する。しかしながら、連邦通信委員会（ＦＣＣ）は、メジャーネットワークの放送系列に、２００３年から２００６年の間に、ＤＴＶの移行を完了することを要求する指令を発した。
【０００４】
現在、多くのディジタルケーブルサービスプロバイダと消費者は、ディジタルビデオ放送信号をアナログテレビジョン受信機のために変換するのに、セットトップボックス（ＳＴＢ）に頼っている。ネットワーク又はケーブル放送信号に加えて、ディジタル信号は、コンパクトディスクリードオンリーメモリ（ＣＤ−ＲＯＭ）プレーヤ又は、ディジタルビデオディスク（ＤＶＤ）プレーヤから受信される。ＳＴＢは、ディジタル及びアナログビデオ信号の両方を受信し且つ処理する。受信された信号がディジタルである場合には、ＳＴＢは信号を復調しそして、変換された信号をＩＥＥＥ−１３９４バス（即ち、ＩＥＥＥ規格１３９４−１９９５を使用するバス）を介してテレビジョン受信機へ送る。受信された放送信号がアナログの場合には、信号はアナログテレビジョン受信機へ直接的に送られる。
【０００５】
ローエンドセットトップボックスでは、アナログ信号が、アナログテレビジョン受信機に送られる唯一の信号である。ハイエンドのセットトップボックスでは、ディジタル信号が、セットトップボックス（ＳＴＢ）により処理され、そして、アナログ信号が、順次走査（２ｆＨ）アナログコンポーネントビデオコネクタを介して、受信機に送られる。さらに、ディジタル信号は、動画専門家グループ（ＭＰＥＧ）フォーマット及びグラフィックオーバーレイを使用して、ＳＴＢを通して、ケーブルテレビジョンを介して伝送される。ディジタルビデオ信号は、ディジタルカムコーダ（カメラとビデオレコーダの組合せ）、ディジタルビデオカセットレコーダ（Ｄ−ＶＣＲ）、ディジタルビデオディスク（ＤＶＤ）及び、他の同様な形式の装置から、ＩＥＥＥ−１３９４を介してＳＴＢを通しても伝送される。
【０００６】
現在のＴＶ／ＤＴＶ機構は、オーディオ／ビデオ（Ａ／Ｖ）番組を受信し且つ表示するために、（例えば、ＶＳＢ変調及び直交振幅変調（ＱＡＭ）のような）ＤＴＶ”フロントエンド”内に、ＲＦ入力とチャネルデコーディング機能を必要とする。更に、新しい放送サービスが加えられるにつれて、追加のＲＦ入力が、通常は要求され、これは、テレビジョン受信機のコストを加える。
【０００７】
従って、技術的に、テレビジョン受信機内のＲＦ入力を除去する必要がある。技術的に、アナログ信号を受信する能力を維持する必要がある。また、技術的に、ＲＦ入力を加えるとなしに、新たな放送サービスを収容する必要がある。更に、技術的に、ディジタルテレビジョン受信機のコストを減少させる必要がある。
【０００８】
発明の概要
従来技術の上述の欠点と取り組むために、本発明の第１の目的は、ディジタルテレビジョン受信機で使用するために、ＲＦ入力無しにアナログ及びディジタルビデオ信号受信するシステムを提供することである。
【０００９】
本発明の更なる目的は、アナログ放送テレビジョンオーディオ／ビデオ信号を処理し且つ表示するシステムを提供することである。
【００１０】
本発明の他の目的は、ディジタルＶＣＲ、ディジタルビデオカムコーダ、セットトップボックス及び他の形式の装置からのディジタル出力のような、ディジタルオーディオ／ビデオユニットからの、放送ディジタルテレビジョン信号とディジタル出力を、処理し且つ表示するシステムを、提供することである。
【００１１】
また、本発明の目的は、ユニバーサルマルチ標準ディジタルテレビジョンとして動作できるベースバンドディジタルテレビジョンを含むシステムを提供することである。
【００１２】
本発明の他の目的は、ＭＰＥＧトランスポートストリーム入力に関して、ＡＴＳＣ規格とＤＶＢ規格の両方をサポートできるベースバンドディジタルテレビジョンを含むシステムを提供することである。
【００１３】
また、本発明の目的は、陳腐化の可能性を最小にするベースバンドディジタルテレビジョンを含むシステムを提供することである。
【００１４】
システムは、ベースバンドディジタルオーディオ及びビデオ信号を受信するために、ディジタル主基板に接続されたディジタルネットワークインターフェースと、ディジタルネットワークインターフェースからのオーディオ及びビデオディジタル信号を復号するための、ディジタルネットワークインターフェースに接続されたディジタルビデオ復号器とを有する。ディジタルビデオ復号器は、復号された信号を、ディジタル主基板へ送る。システムは、オーディオ及びビデオアナログ信号を受信できる入力を有する、アナログテレビジョンシャシーも有する。ディジタル主基板は、アナログ信号を、処理に先立ちディジタルトランスポートストリームにディジタル化する。
【００１５】
本発明の優位な実施例に従って、ディジタルネットワークインターフェースは、ディジタル信号再生装置から、オーディオ及びビデオディジタル信号を受信できる入力を有する。
【００１６】
本発明の他の優位な実施例に従って、ディジタル主基板に接続されたグラフィックスオーバーレイ信号発生器は、少なくとも１つのディジタルビデオ信号をディジタル主基板内のディジタルビデオ信号に加算できる。
【００１７】
更に、本発明の他の優位な実施例に従って、アナログテレビジョンシャシーは、オーディオ及びビデオアナログ信号を受信できる入力を有する。
【００１８】
更に、本発明の他の優位な実施例に従って、ディジタルネットワークインターフェースは、ＩＥＥＥ−１３９４バスを有する。
【００１９】
更に、本発明の他の優位な実施例に従って、アナログテレビジョンシャシーは、２ｆＨフォーマットを有するオーディオ及びビデオアナログ信号を受信できる。
【００２０】
前述は、本発明の特徴と技術的な優位点をむしろ広く要約したものであり、当業者には、以下の本発明の詳細な説明を読めばより理解されよう。本発明の請求項の主題を構成する本発明の追加の特徴と優位点は、以下に記載される。当業者は、本発明と同じ目的を実行するために、他の構成を修正し又は設計するための基礎として概念と開示された特定の実施例を容易く使用することができることは、理解されるべきである。当業者は、そのような等価な構成が広い形式の本発明の意図と範囲から離れないことも理解されるべきである。
【００２１】
本発明の詳細な説明の前に、本明細書を通して使用される特定の単語とフレーズを定義しておくことが優位である。用語”含む”と”有する”等は、制限なしに包含することを意味し、用語”又は”は”及び／又は”を含み、”関連する”等は含む、含まれる、相互に接続される、含む、含まれる、接続される、結合される、通信する、共同する，インターリーブする、並列する、近接する、向かう、特性を有する等を意味し、用語”コントローラ”は、少なくとも１つの動作を制御する装置、システム又は、その一部を意味し、そのような装置は、ハードウェア、ファームウェア又は、ソフトウェア又は、同様なものの少なくとも２つの組合せで実行され得る。特定のコントローラに関連する機能は、局部的に又は、遠隔的に、集中化され、分散されうることに注意すべきである。特に、コントローラは、１つ又はそれ以上のアプリケーションプログラム及び／又はオペレーティングシステムプログラムを実行する、１つ又はそれ以上のデータプロセッサと、関連する入力／出力装置及メモリを含む。特定の用語とフレーズの定義は、本明細書を通して供給され、多くの当業者が理解すべきであり、そのような定義は、多くの場合でないときには、そのような定義された用語とフレーズの特徴的な使用と共に、予め与えられる。
【００２２】
本発明とその優位点の完全な理解のために、添付の図面と共に以下の説明を参照する。同様な番号は、同様なものを指す。
【００２３】
発明の詳細な説明
以下に説明する、図１から４と、本発明の原理を説明する種々の実施例は、説明のためのみであり、本発明の範囲を制限するものと解釈してはならない。当業者は、本発明の原理は、どのような適するように配置されたディジタルテレビジョンで実行されることは、理解する。
【００２４】
図１は、アナログとディジタル信号を受信できる従来のディジタルテレビジョン受信機の高レベルブロック図を示す。ディジタルテレビジョン受信機（ＤＴＶ）１００は、アナログＴＶシャシー１０２、放送信号を受信するアンテナ１０４、残留側波帯（ＶＳＢ）フロントエンド１０６、ディジタル主基板１０８及びディスプレイ１１０を有する。アナログＴＶシャシー１０２は、チューナー、ッ中間周波数（ＩＦ）増幅器、検波器及びビデオ増幅器（全て図示していない）を有する。
【００２５】
従来のディジタル放送受信機は、一部には、１０４を通して、従来のテレビジョン放送信号を受信するアナログチューナ（図示していない）を使用する。ＤＴＶ信号は、地上放送局によりＶＳＢ振幅変調を介して伝送され、そして、アンテナ１０４により受信される。現在は、ＤＴＶ１００がディジタルオーディオ／ビデオ信号を受信するために、ＶＳＢフロントエンド１０６が要求される。アドバンスドテレビジョンシステムコミッティー（ＡＴＳＣ）によるディジタルテレビジョンに対する要求の、ＶＳＢフロントエンド１０６は、伝送のためにアナログ信号に変換された、アンテナ１０４を介してＤＴＶ放送信号を受信する。ＶＳＢ１０６は、アナログ信号をディジタル化し、そして、ディジタル化された信号をディジタル主基板１０８により処理するために送る。ディジタル主基板１０８は、受信されたＤＴＶ信号のオーディオとビデオ部分の両方を復号する。
【００２６】
アナログとディジタル信号の両方は、ディジタル主基板１０８により処理される。アナログＴＶシャシー１０２は、ディジタル主基板１０８からの、復号されたディジタル信号を受信し、そして、テレビジョンスクリーン、プロジェクションスクリーン、ＣＲＴ装置又は、他の同様な形式の装置であるディスプレイ１１０を駆動する。
【００２７】
図２は、本発明の一実施例に従った、例示のディジタルテレビジョン受信機２００の高レベルブロック図を示す。ディジタルテレビジョン受信機２００は、ナショナルテレビジョンスタンダードコミッティー（ＮＴＳＣ）放送規格（毎秒６０フィールドで、５２５ライン）のような、伝統的なサービスをサポートする。ディジタルテレビジョン受信機２００は、計画された将来のディジタルマルチメディアサービスもサポートする。従来のＤＴＶ１００は、アナログテレビジョン信号を受信し且つ処理するのにＲＦネットワークインターフェースモジュール（ＮＩＭ）（図示していない）を必要とするが、本発明のディジタルテレビジョン受信機２００は、ＲＦ  ＮＩＭを必要としない。信号２ｆＨ２０６は、ディジタル処理の必要無しに、ディスプレイ２１６に直接送られる、ＶＧＡ又はディジタルビデオディスク形式のディスプレイ信号である。ＩＥＥＥ１３９４−１９９５規格に従う高性能シリアルバスのような、ディジタルネットワークインターフェース２０８は、ベースバンドディジタル信号２０９を受信するのに使用される。ケーブルテレビジョン、衛星及び他の放送媒体から受信されたベースバンドディジタル信号２０９は、処理のために、ディジタル主基板２１２へ直接的に送られる。ディジタルネットワークインターフェース２０８は、ＲＦ  ＮＩＭの代わりに入力フロントエンドとして働く。入力ベースバンド信号は、未圧縮か又は、圧縮されている。加えて、ディジタル伝送コンテンツ保護仕様（”５Ｃ”として知られている）のような暗号プロトコルが、ＩＥＥＥ１３９４ディジタルネットワークインターフェース２０８とともに使用されても良い。暗号プロトコルは、未承認のコピーからオーディオ／ビデオコンテンツを保護するのに使用される。
【００２８】
圧縮されたディジタル入力ストリームは、ＡＴＳＣ又は、ディジタルビデオ放送グループ（ＤＶＢ）規格に従って、ディジタルネットワークインターフェース２０８により搬送される。圧縮されたディジタル信号入力は、動画専門家グループ（ＭＰＥＧ）ストリーミングビデオ又は、ディジタルビデオ（ＤＶ）又は、他の圧縮されたディジタル信号入力でも良い。ＤＶ復号器２１０は、圧縮されたビットストリームに対するＭＰＥＧ復号器、ＤＶカムコーダーからの入力に対するディジタルビデオ復号器又は、他の同様な装置を含む。ＤＶ復号器２１０は、圧縮されたディジタル入力信号を受信し且つ処理する。ＤＶ復号器２１０は、そして、処理された信号を、ディジタル主基板２１２へ送る。同様に、ＤＶ復号器２１０は、ディジタルビデオカムコーダー又は、圧縮されたディジタルオーディオ／ビデオ出力を有する他の装置からのディジタル入力を処理する。
【００２９】
ＩＥＥＥ−１３９４ディジタルネットワークインターフェース２０８は、基本的には、圧縮されそして未圧縮の、ディジタルビットのコンジットである。ＩＥＥＥ−１３９４ディジタルネットワークインターフェース２０８は、ジョイントフォトグラフィックエキスパーツグループ（ＪＰＥＧ）アプリケーション又は、モーションＪＰＥＧ（ＭＪＰＥＧ）アプリケーション又は、”ウェーブレット”（高比画像圧縮）又は、ＤＶカムコーダ及び他の詳細の更なるアプリケーションのような、多くの現在のアプリケーションの使用を許す。ＩＥＥＥ−１３９４ディジタルネットワークインターフェース１０８を介してのＡ／Ｖ信号を搬送する新たなＡ／Ｖ方法が利用できるようになされる場合には、適切な復号機能がディジタル主基板２１２上に含まれそうである。
【００３０】
未圧縮のディジタル入力は、ＣＣＩＲ−６５６フォーマット（未圧縮ベースバンドビデオを定義する国際標準）及ディジタルビデオインターフェースフォーマットを含む異なるフォーマットを含んでも良い。大部分の復号は、ディジタル主基板２１２上で起こる。そして、処理された信号は、ディスプレイ２１６のためにオーディオ及ビデオ信号を発生するために、アナログＴＶシャシー２０２に送られる。
【００３１】
アナログベースバンドＡ／Ｖ入力は、アンテナ２０４を介してアナログベースバンド入力を受信し、アナログベースバンド入力をＣＣＩＲ６５６及びＰＣＭフォーマットにディジタル化し、ディジタル化されたベースバンド入力をディジタル主基板２１２へ送り、そして、他の処理の前にその信号をＭＰＥＧトランスポートストリーム又はＤＶトランスポートストリームのいずれかへ符号化することにより、サポートされる。処理された信号は、そして、ディスプレイ２１６のためのオーディオ及びビデオ信号を発生するために、アナログＴＶシャシー２０２へ送られる。
【００３２】
グラフィックオーバーレイ２１４は、ビデオディスプレイの一番上にユーザインターラクティブグラフィックスを加える装置である。典型的なインターフェースは、ディスプレイ２１６上の色又は輝度を調整するためメニュー又は、テレビジョンチャネルの番組案内を含む。グラフィックオーバーレイ２１４は、複合スクリーンを形成するために、他のビデオ信号と混合又はブレンドされる。
【００３３】
図３は、本発明の優位な実施例に従って、アナログ及びディジタルＡ／Ｖ信号を受信するように構成された、システム３００を示す。ベースバンドディジタルＴＶ（ＢＤＴＶ）３０２は、ＩＥＥＥ−１３９５バス３０４を介して、入力を発するアナログ信号と、入力を発するディジタル信号に接続されている。セットトップボックス（ＳＴＢ）３０６は、アンテナ３０８を通して、衛星、ケーブル及び地上放送を介して、アナログ信号とディジタル信号の両方を受信できる。ＳＴＢ３０６は、ケーブルＴＶを介してそして、ＤＶＤ、ＣＤ−ＲＯＭ、ディジタルオーディオテープ等を含む非放送ディジタル入力３１０から、アナログ及びディジタル信号も受信する。ＳＴＢ３０６により受信された信号は、ＩＥＥＥ−１３９４バス３０４を介して、処理と表示のために、ＢＤＴＶ３０２へ伝送される。
【００３４】
配備の点（ＰＯＤ）３０７は、交換可能な条件付アクセスモジュールである。新たなサービスが利用できるようになるときにはいつでも、新しいＳＴＢを得るよりも、新たなＰＯＤ３０７が供給される。例えば、ユーザは、１つのケーブルシステムから、他へ、移動し、そして、なされる変更は、プロバイダーとケーブルテレビジョンサービスに適切な異なるＰＯＤを得ることのみである。ＰＯＤ３０７は、テレビジョン受信機に設計されそれにより、ＳＴＢは除去されそして、それによりテレビジョン受信機はもはやプロバイダーに特定ではない。
【００３５】
更に、ディジタルＶＣＲ３１２と、ディジタルカムコーダー３１４は、ＳＴＢ３０６による信号処理無しに、ディジタル信号を、ＢＤＴＶ３０２へ直接に、ＩＥＥＥ−１３９５バス３０４を介して送るのに使用される。ディジタル信号は、ＢＤＴＶ３０２に、ディジタルビデオ信号を発生するどのような装置でも良い、ディジタル入力装置３１６により、直接的に入力される。
【００３６】
図４は、本発明の優位な実施例に従った、ベースバンドディジタルテレビジョン受信機を供給する方法のフローチャートを示す。処理は、ケーブル又は地上放送を介してアナログ信号を受信することから開始する（ステップ４００）。個の処理は、アナログＴＶシャシー２０２を通して、ベースバンドディジタルテレビジョン受信機２００のディジタル主基板２１２へ、アナログ信号を送るステップが続く（ステップ４０２）。そして、信号は、処理され、そして、アナログＴＶシャシー２０２へ戻され（ステップ４０４）そして、テレビジョンＣＲＴ又は、フラットパネルディスプレイのような、ディスプレイ２１６に送られる（ステップ４０６）。
【００３７】
この処理は、ＩＥＥＥ−１３９４ディジタルネットワークインターフェース２０８内のディジタル信号２０９を受信するステップも含む（ステップ４０８）。信号が、圧縮されているか又は、未圧縮かの決定がなされる（ステップ４１０）。信号が、未圧縮の場合には、処理のためにディジタル主基板２１２に送られ（ステップ４１２）そして、アナログＴＶシャシー２０２に送られ（ステップ４０４）そして、ディスプレイ２１６に送られる（ステップ４０６）。
【００３８】
信号が圧縮されている場合には、信号は、最初に、逆圧縮するために、ディジタルビデオ復号器２１０（ステップ４１４）に送られる。カムコーダー、ＶＣＲ又は、ネットワークビットストリームは、ディジタルビデオ復号器２１０へ送られる、典型的な信号である。逆圧縮された信号は、そして、処理のためにディジタル主基板２１２へ送られ（ステップ４１２）、そして、アナログＴＶシャシー２０２に送られ（ステップ４０４）そして、ディスプレイ２１６に送られる（ステップ４０６）。
【００３９】
本発明のベースバンドディジタルテレビジョン受信機２００は、伝統的な（アナログ）テレビジョン信号受信とディジタルテレビジョン信号受信を提供する。アナログオーディオ／ビデオ信号を処理するためのＲＦ入力は、除去される。アナログベースバンドＡ／Ｖ入力は、記録目的のためにディジタルＶＣＲ（Ｄ−ＶＣＲ）のような外部装置への出力のために、ディジタルトランスポートストリームに符号化される。瞬時再生やトリック再生モードのような特徴は、追加の製造コスト無しに、サポートされる。ディジタルネットワークインターフェース２０８（１つの優位な実施例ではＩＥＥＥ−１３９４インターフェース）は、ＲＦネットワークインターフェースモジュールの代わりに入力フロントエンドとして働く。ディジタルネットワークインターフェース２０８は、ディジタル的に、伝送されたＡ／Ｖプログラミング情報を受信できる。
【００４０】
本発明のディジタルテレビジョン受信機２００は、ディジタルベースバンドに信号インターフェースを制限し、且つＡ／Ｖ信号を厳しくディジタル領域で処理することにより、ディジタルベースバンドモニターを提供する。入力する圧縮ディジタル信号を処理するための、ＭＰＥＧ及ＤＶ復号器は、ディジタルベースバンドテレビジョン受信機を提供する。ベースバンドモニターとベースバンドテレビジョン受信機を１つのシステム内で結合しそして、コストのかかるＲＦフロントエンドを除去することは、ディジタルテレビジョン受信機のコストを非常に減少する。ディジタル信号のみを処理することにより、陳腐化のおそれは最小化される。
【００４１】
全ての現在のＤＴＶ規格と進行中のドラフト規格はＭＰＥＧトランスポートストリーム構造及びプロトコルを使用するので、本発明のベースバンドディジタルテレビジョン２００は、ＡＴＳＣとＤＶＢ規格をサポートする。僅かの変更で、ベースバンドディジタルテレビジョン２００は、事実上どの現行のテレビジョン規格とともにも使用できる。これは、ベースバンドディジタルテレビジョン２００を、欧州と米国の両方で、ユニバーサルマルチ標準ディジタルテレビジョンとして動作することを可能とする。
【００４２】
本発明は、詳細に説明したが、当業者は、種々の変更、代用及び変更は、広い形式の本発明の意図と範囲から離れることなくなされることができることは理解されるべきである。
【図面の簡単な説明】
【図１】  アナログ信号を受信できる従来のディジタルテレビジョン受信機の高レベルなブロック図を示す図である。
【図２】  本発明の優位な実施例に従った、例示のディジタルテレビジョン受信機の高レベルなブロック図を示す図である。
【図３】  本発明の優位な実施例に従った、アナログとディジタル信号を受信できるテレビジョンシステムを示す図である。
【図４】  本発明の優位な実施例に従った、例示のディジタルテレビジョン受信機の動作を示すフローチャートを示す図である。
【図１】
0004800561.tif 000002
【図２】
0004800561.tif 000003
【図３】
0004800561.tif 000004
【図４】
0004800561.tif 000005